(57)【特許請求の範囲】
【請求項１】
吊りピースにクレーンのワイヤを締結して吊りピースを吊上可能にする吊りピースのワイヤ配置構造であって、
前記吊りピースの上面に、ワイヤを側方から挿入して上へ引っ掛け得るように側方を開放する下向きのフック部と、
前記ワイヤを配置するフック部の空間を開閉し得るようにフック部の側方で上下方向のみに移動し得る止め部と、
前記フック部と前記止め部に配置され且つ両側の側面を備えるロッド状の角材であるガイド材と、  
を備え、
前記止め部は、移動方向が前記ガイド材の側面により上下方向のみに規制されるように、前記ガイド材に対応して上下方向に形成されるガイド穴を備え、
前記フック部は、ガイド材の回転を防止するようにガイド材を配置する孔を備えたことを特徴とする吊りピースのワイヤ配置構造。
【請求項２】
前記止め部は、自重によりフック部の空間を閉止するように構成されたことを特徴とする請求項１に記載の吊りピースのワイヤ配置構造。
【請求項３】
前記止め部は、引き上げ可能にする摘み部を備えたことを特徴とする請求項１又は２に記載の吊りピースのワイヤ配置構造。
【請求項４】
前記フック部は、ワイヤを配置した際にワイヤの曲げを大きくする構造を備えたことを特徴とする請求項１〜３のいずれかに記載の吊りピースのワイヤ配置構造。
【請求項５】
前記フック部に吊り穴を備えたことを特徴とする請求項１〜４のいずれかに記載の吊りピースのワイヤ配置構造。
【発明の詳細な説明】
【技術分野】
【０００１】
本発明は、吊りピースのワイヤ配置構造に関するものである。
【背景技術】
【０００２】
一般にクレーンは、旋回体の前部にブーム本体を起伏自在に取り付けており、ブーム本体の先端にはワイヤが掛けられており、このワイヤにはフックが吊り下げられている。ワイヤは主巻きドラムによる巻き取り、繰り出しが行われることにより荷の吊り上げ下げを行うようになっている。また旋回体の後部には、シリンダやフレーム等によって巻き取り、繰り出し可能な補助のワイヤが配置されている。
【０００３】
クレーンは、荷材を吊り上げる際にバランスを取り得るように、旋回体の後部にカウンターウエイトを備えており、カウンターウエイトは、図１０に示す如く、複数の吊りピース１で構成されている。また吊りピース１の上面には、吊り穴を形成したブラケット２を備え、玉掛けワイヤ等の補助のワイヤ３と締結し得るようにしている（例えば、特許文献１，２参照）。
【０００４】
そしてカウンターウエイトの吊りピース１を吊上可能にする際には、玉掛けワイヤの環状のアイ部分４と、吊りピース１に配置されたブラケット２の吊り穴とを、シャックル等の連結金具５により連結し、吊りピース１を吊上可能にしている。そして吊りピース１を吊り上げ、クレーンの旋回体に載せ、又はクレーンの旋回体から降ろし、クレーンの組立、分解を行うようにしている。
【先行技術文献】
【特許文献】
【０００５】
【特許文献１】特開２００１−３１０８９５号公報
【特許文献２】特開２００６−１８２５０７号公報
【発明の開示】
【発明が解決しようとする課題】
【０００６】
しかしながら、カウンターウエイト等の吊りピース１を、シャックル等の連結金具５を用いて補助のワイヤ３に連結する際には手間と時間がかかり、作業性が低下するという問題があった。
【０００７】
本発明は上述の実情に鑑みてなしたもので、吊りピースとワイヤを容易且つ安定的に締結し、作業性を向上することができる吊りピースのワイヤ配置構造を提供することを目的としている。
【課題を解決するための手段】
【０００８】
本発明は、吊りピースにクレーンのワイヤを締結して吊りピースを吊上可能にする吊りピースのワイヤ配置構造であって、
前記吊りピースの上面に、ワイヤを側方から挿入して上へ引っ掛け得るように側方を開放する下向きのフック部と、
前記ワイヤを配置するフック部の空間を開閉し得るようにフック部の側方で上下方向のみに移動し得る止め部と、
前記フック部と前記止め部に配置され且つ両側の側面を備えるロッド状の角材であるガイド材と、  
を備え、
前記止め部は、移動方向が前記ガイド材の側面により上下方向のみに規制されるように、前記ガイド材に対応して上下方向に形成されるガイド穴を備え、
前記フック部は、ガイド材の回転を防止するようにガイド材を配置する孔を備えたことを特徴とする吊りピースのワイヤ配置構造、にかかるものである。
【００１１】
本発明の吊りピースのワイヤ配置構造において、前記止め部は、自重によりフック部の空間を閉止するように構成されることが好ましい。
【００１２】
本発明の吊りピースのワイヤ配置構造において、前記止め部は、引き上げ可能にする摘み部を備えることが好ましい。
【００１３】
本発明の吊りピースのワイヤ配置構造において、前記フック部は、ワイヤを配置した際にワイヤの曲げを大きくする構造を備えることが好ましい。
【００１４】
本発明の吊りピースのワイヤ配置構造において、前記フック部に吊り穴を備えることが好ましい。
【発明の効果】
【００１５】
本発明の吊りピースのワイヤ配置構造によれば、吊りピースとワイヤを締結する際には、フック部にワイヤを掛け、止め部を下ろしてフック部の空間を閉止するので、連結金具を用いることなく、吊りピースとワイヤを容易に締結し、手間と時間を低減して作業性を向上することができる。また吊りピースはクレーンに適用するものであるので、手間と時間の低減によりクレーンの分解、組立の作業を効率的に行うことができる、という優れた効果を奏し得る。
【図面の簡単な説明】
【００１６】
【図１】本発明を実施する形態例を示す正面図である。
【図２】図１のＩＩ−ＩＩ方向の矢視図である。
【図３】フック部の構造を示す正面図である。
【図４】図３のＩＶ−ＩＶ方向の矢視図である。
【図５】止め部の構造を示す正面図である。
【図６】図５のＶＩ−ＶＩ方向の矢視図である。
【図７】本発明を実施する形態の他の例を示す正面図である。
【図８】吊りピースとワイヤを締結した状態の一例を示す概念図である。
【図９】吊りピースとワイヤを締結した状態の他の例を示す概念図である。
【図１０】吊りピースとワイヤを締結した状態の従来例を示す概念図である。
【発明を実施するための形態】
【００１７】
以下、本発明の実施の形態例を図１〜図９を参照して説明する。
【００１８】
実施の形態例の吊りピースのワイヤ配置構造は、吊りピース１１の上面で両側に形成されるフック部１２と、夫々のフック部１２に移動可能に配置される止め部１３とを備えている。ここで吊りピース１１は、カウンターウエイトに限定されるものでなく、クレーンのワイヤ３で吊り上げるものならば、他のものでも良く、特に制限されるものではない。
【００１９】
フック部１２は、図２，図３に示す如く、吊りピース１１の上面から上方へ形成されるフック部本体１４と、フック部本体１４の上方から側方へ向かって形成される係止部１５とを備え、正面から見て、側方を開放する下向きの逆Ｊ字状に形成されている。またフック部１２は、側方から内側へ向かって切り欠いたように、吊りピース１１の上面と、フック部本体１４の側部、係止部１５の下部によってワイヤ３を配置し得る空間１６を形成している。更にフック部１２は、係止部１５の下面からフック部本体１４の側面にかけて面取り加工され、ワイヤ３を配置し得る曲面部１７が形成されている。
【００２０】
フック部１２の係止部１５には、先端側の面を貫通する孔１８が備えられており、孔１８は、両側の辺１８ａを上下方向（鉛直方向）に向けた四角形等の角型で形成されている。ここで、孔１８は、四角形等の角型に限定されるものでなく、両側の辺１８ａが上下方向に向かうものならば六角形や楕円等の他の形状でも良い。またフック部１２の係止部１５には、曲面部１７の上方に位置して外側へ突出するＲ状の凸部１９を備えており、凸部１９は、ワイヤ３を曲面部１７に配置した際にワイヤ３の曲げ（曲率半径）が大きくなるようにしている。更にフック部本体１４は、吊り穴２０を備えている。ここでフック部本体１４は、図７に示す如く吊り穴２０のない構成であっても良い。
【００２１】
止め部１３は、図５、図６に示す如く、上下方向に形成される二枚の板状の本体部２１と、二枚の本体部２１の底部を固定する底部２２とを備えている。また本体部２１は、上端から側方へ突出する摘み部２３を備え、摘み部２３の先端には、連結部２４を配置している。更に本体部２１の中央には、両側の辺２５ａが上下方向に沿って形成される四角形のガイド穴２５が形成されている。ここでガイド穴２５は、四角形に限定されるものでなく、両側の辺２５ａが上下方向に向かうものならば六角形や楕円等の他の形状でも良い。
【００２２】
フック部１２と止め部１３には、図１，図２に示す如く、孔１８及びガイド穴２５に配置されるガイド材２６が備えられており、ガイド材２６は、断面形状で四角形であるロッド状の角材で形成されている。またガイド材２６は、フック部１２の孔１８に挿入され、孔１８の両側の辺１８ａによりフック部１２に対して周方向に回転しないようになっている。更にガイド材２６は、長手方向の両側部分が止め部１３のガイド穴２５に位置し、ガイド材２６の両側の側面２６ａにより、止め部１３の移動方向をフック部１２の側方位置で上下方向のみに規制するようにしている。ここで止め部１３は、上下方向の移動によりフック部１２の空間１６を開閉するようになっており、更に自重によりフック部１２の空間１６を閉止し得るようになっている。またガイド材２６は、断面形状が四角形に限定されるものでなく、周方向への回転を防止し且つ止め部１３の移動方向を上下方向のみに規制するものならば、六角形や楕円等の他の形状でも良い。更にガイド材２６は、本体部２１の外面側にワッシャ２７を配置しており、ガイド材２６の長手方向の両側部分先端には止めピン２８を配してガイド材２６の抜けを防止している。
【００２３】
以下本発明を実施する形態例の作用を説明する。
【００２４】
吊りピース１１をワイヤ３に締結する際には、初めに、止め部１３の摘み部２３を介して止め部１３をフック部１２から上方に持ち上げ、フック部１２の空間１６を開放する。次にフック部１２の空間１６を開放した状態で、ワイヤ３における玉掛けワイヤの環状のアイ部分４を、フック部１２の空間１６へ側方から挿入し、上方へ向けるようにフック部１２の曲面部１７に引っ掛ける。続いて、止め部１３を自重により下ろしてフック部１２の空間１６を閉止し、ワイヤ３がフック部１２の空間１６から外れないようにする。その後、図８、図９に示す如く、吊りピース１１を吊上可能な状態にしてクレーンの旋回体に載せ、又はクレーンの旋回体から降ろし、クレーンの組立、分解を行う。ここで図８に示す如くワイヤ３は、環状のアイ部分４をフック部１２に掛けても良い。また図９に示す如くワイヤ３ａは、ロープ部をＵ字状に折り返してフック部１２に掛けても良いし、ロープ部をかご状にしてフック部１２に掛けても良い。更に吊りピース１１に締結するワイヤ３は補助のワイヤに限定されるものでなく、通常のワイヤでも良い。
【００２５】
而して、実施の形態例によれば、吊りピース１１とワイヤ３を締結する際には、止め部１３を上げてフック部１２の空間１６を開放し、フック部１２にワイヤ３の環状のアイ部分４を掛け、止め部１３を下ろしてフック部１２の空間１６を閉止するので、連結金具を用いることなく、吊りピース１１とワイヤ３を容易に締結し、手間と時間を低減して作業性を向上すると共に低コストにすることができる。また吊りピース１１はクレーンに適用するものであるので、手間と時間の低減によりクレーンの分解、組立の作業を効率的に行うことができる。
【００２６】
実施の形態例において、フック部１２と止め部１３には、ガイド材２６を配置し、止め部１３は、移動方向がガイド材２６の側面２６ａにより上下方向のみに規制されるように、ガイド材２６に対応して上下方向に形成されるガイド穴２５を備えると、フック部１２の空間１６に位置するワイヤ３の横ずれを、止め部１３により適切に制限するので、吊りピース１１とワイヤ３を安定的に締結し、手間と時間を低減して作業性を向上することができる。
【００２７】
実施の形態例において、フック部１２は、ガイド材２６の回転を防止するようにガイド材２６を配置する孔１８を備えると、止め部１３の移動方向を上下方向のみに規制し、フック部１２の空間１６に位置するワイヤ３の横ずれを、止め部１３により好適に制限するので、吊りピース１１とワイヤ３を安定的に締結し、手間と時間を低減して作業性を向上することができる。
【００２８】
実施の形態例において、止め部１３は、自重によりフック部１２の空間１６を閉止するように構成されると、フック部１２の空間１６を簡単に閉止するので、吊りピース１１とワイヤ３を容易に締結し、手間と時間を低減して作業性を向上することができる。
【００２９】
実施の形態例において、止め部１３は、上方向に引き上げ可能にする摘み部２３を備えると、フック部１２の空間１６を簡単に開放するので、吊りピース１１とワイヤ３を容易に締結し、手間と時間を低減して作業性を向上することができる。
【００３０】
実施の形態例において、フック部１２は、ワイヤ３を配置した際にワイヤ３の曲げ（曲率半径）を大きくするように、曲面部１７及び凸部１９の構造を備えると、吊りピース１１とワイヤ３を安定的に締結し、手間と時間を低減して作業性を向上することができる。
【００３１】
実施の形態例において、フック部１２に吊り穴２０を備えると、吊りピース１１とワイヤ３の締結する方法を多様にするので、吊りピース１１とワイヤ３の締結方法や選択を容易にし、作業性を向上することができる。
【００３２】
尚、本発明の吊りピースのワイヤ配置構造は、上述の図示例にのみ限定されるものではなく、止め部の開閉にばね等の弾性手段を備えても良いこと、その他、本発明の要旨を逸脱しない範囲内において種々変更を加え得ることは勿論である。
【符号の説明】
【００３３】
３     ワイヤ
３ａ   ワイヤ
１１    吊りピース
１２    フック部
１３    止め部
１６    空間
１８    孔
２０    吊り穴
２３    摘み部
２５    ガイド穴
２６    ガイド材
２６ａ    側面
【図１】
0005961040.tif 000002
【図２】
0005961040.tif 000003
【図３】
0005961040.tif 000004
【図４】
0005961040.tif 000005
【図５】
0005961040.tif 000006
【図６】
0005961040.tif 000007
【図７】
0005961040.tif 000008
【図８】
0005961040.tif 000009
【図９】
0005961040.tif 000010
【図１０】
0005961040.tif 000011